(57)【要約】      （修正有）【課題】営巣された鳥類の巣からの糞等の落下物による地面等の汚れを防止するとともに、簡単に設置でき、なおかつ、周囲にも注意を促すことができる落下物受け具の提供。【解決手段】営巣された鳥類の巣からの糞等の落下物に対応して、巣の下方の第１の面Ｇに敷設されて、前記巣からの落下物を受ける落下物受け部１と、上方に巣があることを察知させるべく、前記第１の面Ｇに対して上方に向けて立設される表示部２と、を１枚のシート材により一体に構成した。【選択図】図３
2019135987.tif 000002
【特許請求の範囲】
【請求項１】
営巣された鳥類の巣の下方の第１の面に敷設されて、前記巣からの落下物を受ける落下物受け部と、上方に巣があることを察知させるべく、前記第１の面に対して上方に向けて立設される表示部と、を有し、
１枚のシート材により、前記落下物受け部と前記表示部が一体に構成されたことを特徴とする落下物受け具。
【請求項２】
前記シート材はゴム製であることを特徴とする請求項１に記載の落下物受け具。
【請求項３】
前記シート材は、トラック形状を成し、短手方向に延びる折り曲げ線が設けられていることを特徴とする請求項１又は請求項２に記載の落下物受け具。
【請求項４】
前記シート材は、前記折り曲げ線が平行に複数設けられていることを特徴とする請求項３に記載の落下物受け具
【請求項５】
前記シート材は、前記落下物受け部と前記表示部の表面を内側にするように折り畳むことで、前記落下物受け部と前記表示部の表面を露出しない状態とする折り畳み補助線が設けられていることを特徴とする請求項１〜請求項４のいずれか一項に記載の落下物受け部材。
【請求項６】
営巣された鳥類の巣の下方の第１の面に敷設されて、前記巣からの落下物を受ける落下物受け部と、上方に巣があることを察知させるべく、前記第１の面に対して上方に向けて立設される表示部と、を有し、
前記落下物受け部は、落下物を受ける受け面を構成する受け面部材と、当該受け面部材を保持する受け面保持部と、からなり、
前記受け面部材は、前記受け面保持部に対して取り外し可能であることを特徴とする落下物受け部材。
【請求項７】
営巣された鳥類の巣の下方の第１の面に敷設されて、前記巣からの落下物を受ける落下物受け部と、上方に巣があることを察知させるべく、前記第１の面に対して上方に向けて立設される表示部と、を有し、
前記落下物受け部と前記表示部は、互いに分離可能、かつ、連結可能であることを特徴とする落下物受け部材。
【請求項８】
前記表示部の立設状態を維持する維持手段を備えることを特徴とする請求項１〜請求項６のいずれか一項に記載の落下物受け部材。
【請求項９】
前記落下物受け部及び／または前記表示部の裏面側には、両面テープまたは接着層が設けられていることを特徴とする請求項１〜請求項７のいずれか一項に記載の落下物受け部材。
【請求項１０】
前記落下物受け部と前記表示部は、連続した印象を与えるデザインが施されていることを特徴とする請求項１〜請求項８のいずれか一項に記載の落下物受け部材。
【請求項１１】
前記落下物受け部の表面には、剥離可能に積層された複数のシート層が設けられていることを特徴とする請求項１〜請求項９のいずれか一項に記載の落下物受け部材。
【発明の詳細な説明】
【技術分野】
【０００１】
本発明は、ツバメ等の鳥類の巣から落下する糞等の落下物を受ける落下物受け具に関するものである。
【背景技術】
【０００２】
従来、ツバメの糞に対する対策として、巣の下に設けた皿で糞を受けることで、地面の汚れを防止するための糞受けがあった（例えば、特許文献１参照）。この糞受けは、台に長筒を設け、その長筒の上端に皿を設けたものであった。
【先行技術文献】
【特許文献】
【０００３】
【特許文献１】特開２０１１−３６２３４号公報
【発明の概要】
【発明が解決しようとする課題】
【０００４】
しかし、前記従来の糞受けは、受け皿を高い場所に設置するため、転倒防止の対策が必要であり、また、威圧感を与えるものであった。特にツバメに関しては、巣作りから巣立ちまでの期間がおよそ一カ月ほどと短く、転倒しないような恒久的な糞受けの設置は経済的にも非効率であった。
この発明は、上記した従来の欠点を解決するためになされたものであり、その目的とするところは、巣からの糞等の落下物による地面等の汚れを防止するとともに、簡単に設置でき、なおかつ、周囲にも注意を促すことができる落下物受け具を提供することにある。
【課題を解決するための手段】
【０００５】
上記問題を解決するための落下物受け具は、営巣された鳥類の巣の下方の第１の面に敷設されて、前記巣からの落下物を受ける落下物受け部と、上方に巣があることを察知させるべく、前記第１の面に対して上方に向けて立設される表示部と、を有し、１枚のシート材により、前記落下物受け部と前記表示部が一体に構成されたことを要旨とする。
【０００６】
また、落下物受け具について、前記シート材はゴム製であってもよい。
【０００７】
また、落下物受け具について、前記シート材は、トラック形状を成し、短手方向に延びる折り曲げ線が設けられていてもよい。
【０００８】
また、落下物受け具について、前記シート材は、前記折り曲げ線が平行に複数設けられれていてもよい。
【０００９】
また、落下物受け具について、前記シート材は、前記落下物受け部と前記表示部の表面を内側にするように折り畳むことで、前記落下物受け部と前記表示部の表面を露出しない状態とする折り畳み補助線が設けられていてもよい。
【００１０】
上記問題を解決するための落下物受け具は、営巣された鳥類の巣の下方の第１の面に敷設されて、前記巣からの落下物を受ける落下物受け部と、上方に巣があることを察知させるべく、前記第１の面に対して上方に向けて立設される表示部と、を有し、前記落下物受け部は、落下物を受ける受け面を構成する受け面部材と、当該受け面部材を保持する受け面保持部と、からなり、前記受け面部材は、前記受け面保持部に対して取り外し可能であることを要旨とする。
【００１１】
上記問題を解決するための落下物受け具は、営巣された鳥類の巣の下方の第１の面に敷設されて、前記巣からの落下物を受ける落下物受け部と、上方に巣があることを察知させるべく、前記第１の面に対して上方に向けて立設される表示部と、を有し、前記落下物受け部と前記表示部は、互いに分離可能、かつ、連結可能であることを要旨とする。
【００１２】
また、落下物受け具について、前記表示部の立設状態を維持する維持手段が設けられていてもよい。
【００１３】
また、落下物受け具について、前記落下物受け部及び／または前記表示部は、裏面に両面テープまたは接着層が設けられていてもよい。
【００１４】
また、落下物受け具について、前記落下物受け部と前記表示部には、連続する印象を与えるデザインが施されていてもよい。
【００１５】
また、落下物受け具について、前記落下物受け部は、受け面に、剥離可能に積層された複数のシート層が設けられていてもよい。
【発明の効果】
【００１６】
本発明によれば、巣からの糞等の落下物による地面等の汚れを防止するとともに、簡単に設置でき、なおかつ、周囲にも注意を促すことができる。
【図面の簡単な説明】
【００１７】
【図１】実施例１の落下物受け具Ａ１の平面図である。
【図２】（ａ）は実施例１の落下物受け具Ａ１の斜視図であり、（ｂ）は（ａ）に表示した範囲Ｐにおける拡大側面図である。
【図３】実施例１の落下物受け具Ａ１を仮置きした状態を示す図である。
【図４】実施例１の落下物受け具Ａ１の表示部２を傾動させて裏面の両面テープＴを露出させた状態を示す図である。
【図５】実施例１の落下物受け具Ａ１の落下物受け部１を傾動させて裏面の両面テープＴを露出させた状態を示す図である。
【図６】実施例１の落下物受け具Ａ１を段差のある箇所に設置した状態を示す図である。
【図７】実施例１の落下物受け具Ａ１を折り畳む途中段階を示す図である。
【図８】実施例１の落下物受け具Ａ１を粘着テープＮで固定した状態を示す図である。
【図９】実施例２の落下物受け具Ａ２の分解斜視図である。
【図１０】実施例２の落下物受け具Ａ２の受け面保持部１２の斜視図である。
【図１１】実施例３の落下物受け具Ａ３の分解斜視図である。
【図１２】（ａ）は変形例１の落下物受け具を示す平面図であり、（ｂ）は変形例１の落下物受け具を設置した状態を示す図である。
【図１３】変形例１の落下物受け具を棒材Ｂを利用して配置する状態を示す図である。
【図１４】落下物受け部と表示部に連続した印象を与えるデザインの例１である。
【図１５】落下物受け部と表示部に連続した印象を与えるデザインの例２である。
【図１６】落下物受け部と表示部に連続した印象を与えるデザインの例３である。
【発明を実施するための形態】
【００１８】
以下、複数の実施例を挙げて、本発明について更に詳細に説明する。
【実施例１】
【００１９】
最初に、図１〜図８を参照して、本発明の実施例１の落下物受け具Ａ１について説明する。落下物受け具Ａ１は、１枚のシート材により形成され、建物壁Ｗに営巣された鳥類の巣からの落下物（具体的には糞が挙げられる）を受ける落下物受け部１と、上方に巣があることを察知させるための表示部２と、からなる。より詳細に説明すると、落下物受け部１は、表面を上面として営巣された鳥類の巣の下方の地面や構造物などの第1の面Ｇに敷設されるものであり、本実施例においては、図１に示すＣの範囲である。また、表示部２は図１に示すＤの範囲であり、その境界には後述する折り曲げ線３が設けられている。
【００２０】
落下物受け具Ａ１は、ゴム製のシート材を基材とし、対向する直線部分と両直線の端部を弧状で連結した外形状（トラック形状）を成し、短手方向（直線部分の対向する方向）に延びる折り曲げ線３が設けられている。折り曲げ線３は、図２（ｂ）に示すように、裏面に凹設された溝３１によって形成され、容易に折り曲げやすい箇所を構成している。折り曲げ線３は、平行して複数形成されており、保管時や撤去する際に折り曲げ線３を利用して小さく折り畳むことができる。
【００２１】
落下物受け具Ａ１の折り曲げ線３は、図１に示すように、全体で５本設けられ、落下物受け部１と表示部２との境界である折り曲げ線３と、その折り曲げ線３に平行して４本の折り曲げ線３が設けられている。このうち、図示した範囲Ｃ１と範囲Ｃ２との境界線となる折り曲げ線３を挟んだ、範囲Ｃ１と範囲Ｃ２の長さは、Ｃ１＜Ｃ２の関係となっている。そのため、この範囲Ｃ１と範囲Ｃ２との境界線となる折り曲げ線３を利用して範囲Ｃ２の表面を範囲Ｃ１の表面に重ねるように折り曲げることができ、さらに、落下物受け部と表示部との境界である折り曲げ線を利用して表示部の表面を折りたたんだ落下物受け部上に重ねて、落下物受け部と表示部の表面が露出しないように全体を小さく折り畳むことができるようになっている。つまり、これら各折り曲げ線３は、折り畳み補助線としても機能している。なお、折り畳む箇所はどこの折り曲げ線３を利用してもよく、この場合は、折り曲げ線３の全てが折り畳み補助線ともいえる。
【００２２】
落下物受け部１は、鳥類の巣からの高さ等の条件によって一定ではないが、およそ糞が飛び散る範囲の面積に設定されており、その表面には、剥離可能に積層された複数のシート層が設けられている。また、裏面には、剥離シートに覆われた両面テープＴが貼り付けられている。
【００２３】
表示部２は、落下物受け部１から連続しており、落下物受け部１との境界で折り曲げられて、建物壁Ｗに沿って起立した姿勢で配置される。換言すると、落下物受け部１の表面となる上面（換言すると、落下物受け部が敷設された第１の面Ｇ）に対して、上方に向けて立設されている。表示部２の裏面には、建物壁Ｗに対して貼着固定して起立姿勢を保つための剥離シートに覆われた両面テープＴが貼り付けられている。また、折り曲げ線３が設けられている。
【００２４】
そして、表示部２の表面には、上方に巣があることを示す表示が施されている。これにより、単に落下物受け部１を敷設するだけでは、視界に入りにくく気づきにくくて、踏んでしまったり、巣の下方に入り込んでしまうおそれがあるが、離れた所からでも巣があることを示し、注意を促すことができる（少なくとも何かが存在することを認知させられる）。
【００２５】
続いて、実施例１の落下物受け具Ａ１の設置方法について説明する。図３に示すように、まず、営巣された巣の下方に落下物受け具Ａ１を広げるとともに、シート材の折り曲げ線３を利用して折り曲げて表示部２を建物壁Ｗに沿うように起立させて、設置個所を決定する。そして、図４に示すように、表示部２を建物壁Ｗから離間させて裏面の両面テープＴを覆う剥離シートを除去し、壁面に貼着して固定する。また、落下物受け部１も同様に、図５に示すように、折り曲げ線３を利用して裏面を臨ませ、両面テープＴを覆う剥離シートを除去し、第１の面Ｇに貼着して固定する。もちろん表示部２と落下物受け部１の貼着固定する順番は逆でも良く、仮置きして設置個所を決定することなく、表示部２と落下物受け部１の裏面の剥離シートをすべて除去して同時に貼着固定しても良い。また、風等の影響が小さいような箇所では表示部２を建物壁Ｗに立てかけるだけでもよい。さらに、落下物受け部１が滑りにくいゴム製であるため、必ずしも両面テープＴが必要というわけではなく、第１の面Ｇに広げるのみで設置完了としても良い。
【００２６】
また、図６に示すように敷設箇所に段差がある場合には、段差に合わせてシート材を折り曲げて折りクセ４をつけて、段差に沿うように設置しても良い。
【００２７】
落下物受け部１と表示部２は、１枚のシート材により一体に構成され、その各部の裏面には表面側へと折り曲げやすくする溝状の折り曲げ線３が設けられている。そのため、汚れたり、鳥が巣立って不要となった際に、図７に示すように、表面側を内側となるように折り畳むことができ、手を汚すことなく処分することができる。
【００２８】
なお、固定方法としては、落下物受け部１や表示部２の裏面に設けた両面テープＴで貼着した。換言すると、両面テープＴは、表示部２の立設状態を維持する維持手段となっている。また、両面テープＴに代えて、接着剤等の接着層を塗布したものであっても良い。さらに、図８に示すように落下物受け部１や表示部２の表面から第１の面Ｇや建物壁Ｗにかけて貼着された粘着テープＮで貼着する方法であっても良いし、第１の面Ｇがアスファルトのように貼着しにくかったり、貼着強度が確保できないような場合は、落下物受け部１におもりを載せることも考えられる。
【００２９】
さらに、折り曲げ線３は溝状に構成したが、薄肉にする等して折り曲げやすい脆弱な箇所を構成して、折り曲げ線３としても良い。
【００３０】
また、落下物受け部１の表面であって、落下物を受ける受け面側に設けられた、剥離可能に積層された複数のシート層は必ずしも必須ではないが、糞による汚れがひどくなった際に、複数のシート層を１枚ずつ剥離することで、きれいなシート層を露出させることができ、衛生的であるため、備えることが望ましい。また、複数のシート層は剥離するごとに違う図柄が現れるようにしてもよい。さらに、表示部２にも、同様に剥離可能に積層された複数のシート層を設けておくと、飛び散った糞が表示部２に付着した場合に、シート層を剥離でき、衛生的である。
【００３１】
なお、表示部２と落下物受け部１は、必ずしも明確に境界が分かれている必要はなく、複数の折り曲げ線３のいずれかを選択することで、第１の面を広く覆いたい場合や、気づきにくい箇所で表示部２を大きく設置したい場合など、状況に応じた異なる面積に変更することが可能である。また、表示部２は飛び散る糞から建物壁Ｗを保護する保護部としても機能する。
【実施例２】
【００３２】
次に、図９〜図１０を参照して、本発明の実施例２の落下物受け具Ａ２について説明する。
【００３３】
実施例２の落下物受け具Ａ２は、実施例１と同様に、営巣された鳥類の巣の下方の第１の面に敷設されて、巣からの落下物を受ける落下物受け部１と、上方に巣があることを察知させるべく、第１の面に対して上方に向けて立設される表示部２と、を有している点について共通しているが、落下物受け部１と表示部２とは、１枚のシート材による一体の構成ではなく、別体となっており、より詳細には、落下物受け部１は、落下物を受ける受け面を構成する受け面部材１１と、当該受け面部材１１を保持する受け面保持部１２と、からなり、受け面部材１１は、受け面保持部１２に対して取り外し可能となっている。また、受け面保持部１２と表示部２は一体に組付けられている。
【００３４】
受け面保持部１２は、受け面部材１１の輪郭形状を成し、内側に受け面部材１１を嵌め込み可能であり、かつ、受け面保持部１２を第１の面Ｇに固定した状態で、受け面部材１１のみを取り外すことが可能となっている。そのため、汚れた際に受け面部材１１のみを交換することができる。また、受け面保持部１２を重量のある素材（例えば金属）で形成すれば、第１の面Ｇに対して動きにくくなり、簡単に設置することもできる。
【００３５】
表示部２は、受け面保持部１２に設けられた表示部保持部１３により保持されて第１の面に対して上方に向けて立設されている。この表示部保持部１３は、鉤状に形成された一対の保持片１４からなり、板状の表示部２を保持片間に圧入することで立設した状態に保持することが可能である。そのため、表示部２が倒れることなく立設した状態が維持されている。換言すると、表示部保持部１３は、表示部２の立設状態を維持する維持手段となっている。また、表示部２の表面には、上方に巣があることを示す表示が施されている。これにより、単に落下物受け部１を敷設するだけでは、視界に入りにくく気づきにくくて、踏んでしまったり、巣の下方に入り込んでしまうおそれがあるが、離れた所からでも巣があることを示し、注意を促すことができる（少なくとも何かがあることを認知させられる）。
【実施例３】
【００３６】
次に、図１１を参照して、本発明の実施例３の落下物受け具Ａ３について説明する。
【００３７】
実施例３の落下物受け具Ａ３は、実施例１または実施例２と同様に、営巣された鳥類の巣の下方の第１の面Ｇに敷設されて、巣からの落下物を受ける落下物受け部１と、上方に巣があることを察知させるべく、第１の面Ｇに対して上方に向けて立設される表示部２と、を有しており、この構成による同様の効果が得られるとともに、さらに、落下物受け部１と表示部２は、互いに分離可能、かつ、連結可能な連結手段を有している。連結手段としては、図に示すように凹凸係合による嵌着部Ｒａおよび被嵌着部Ｒｂとするほか、面ファスナーのようなものであってもよい。
【００３８】
この実施例によれば、落下物受け具Ａ３は、落下物受け部１と表示部２とを一体的に取り扱ったり設置したりすることもできるし、落下物受け部１と表示部２との相対位置を変更することもできる。例えば、連結することで、落下物受け部１と表示部２とが連続した一体感を出すことができる。また、設置個所によっては、表示部２の位置が見にくくなるような場合に、落下物受け部１と表示部２とを分離して、表示部２を見やすくなる箇所に設置位置を変更することが可能である。
【００３９】
本発明は、上記した各実施例の構成に限らず、種々の変更が可能である。例えば、落下物受け部１と表示部２はそれぞれ１つずつであったが、変形例１として、図１２（ａ）に示すように１枚のシート材に設けられた３つの折り曲げ線３´を利用して、図１２（ｂ）に示すように中間部を折り起こして、中間部を表示部２とし、その両側に落下物受け部１が配置されるように構成してもよい。この例によれば、駅などの梁に営巣されて近くに建物壁が存在しない箇所であっても、表示部２を立設した状態に設置できる。
【００４０】
この変形例１において、表示部２をシート材の裏面を貼り合わせることで立設させたが、図１３に示すように、三角柱形状の棒材Ｂを第１の面Ｇに配置し、それに沿うようにして１枚のシート材を配置するようにしてもよく、この場合、棒材Ｂが表示部２の立設手段となっている。
【００４１】
なお、実施例１と同様に、各実施例や変形例の落下物受け具においても、落下物受け部１の表面であって落下物を受ける受け面側や、表示部２の表面に、剥離可能に積層された複数のシート層を設けてもよい。さらに、複数のシート層を落下物受け部１や表示部２の表面全体を１枚で覆う大きさにしてもよく、また、表面全体を分割して覆う大きさであってもよいし、部分的に覆うものであってもよい。特に分割して覆う場合には、汚れた箇所のみを剥がすことができ、経済的である。
【００４２】
また、実施例１において、別体の維持部材を用いて、表示部２の立設状態を維持する維持手段としてもよい。
また、実施例１において、シート材は、紙製や樹脂製、ビニール製の他、ゴム製であってもよい。特にゴム製とすると、重さがあり、風に飛ばされにくく、また、滑りにくいため、設置が容易である。ゴム製の場合には、落下物受け部１の表面に受け面を構成する板状部材を貼りつけたり、表示部２の表面に表示シールを貼りつけてもよい。このとき、板状部材にデザインを施し、さらに、透明の複数シート層を表面に貼着してもよい。
【００４３】
また、各実施例や変形例において、第１の面Ｇに対する落下物受け部１の固定手段として落下物受け部１の裏面に剥離シートにより保護された接着層を設けておいてもよい。また、表示部２の裏面にも両面テープや剥離シートにより保護された接着層を設けておいてもよい。さらに、表示部２の裏面のみに両面テープや剥離シートにより保護された接着層を設けておいて、表示部２の固定によって落下物受け部１を設置してもよい。
【００４４】
なお、表示部２は、離れた所からでも巣があることを示し、注意を促すことができるため、注意喚起のための注意喚起部ともいえる。
【００４５】
落下物受け部１と表示部２に連続した印象を与えるデザインの例として、図１４〜図１６のようなデザインが考えられる。これによれば、落下物受け部１と表示部２が立体的に配置されていても、連続したイメージを与え、美観よく設置することができる。
【００４６】
落下物受け部１の表面や、落下物受け部１の表面に設けられたシート層には、シボ加工や、滑り止め加工を施すと、誤って人が乗っても足を滑らせることが防止できる。
【００４７】
実施例１において、１枚のシート材を、紙を基材とし、樹脂コーティングして、表示部を印刷したものとすると、安価で軽量な落下物受け具が得られる。また、折り曲げ線３（折り畳み補助線）は、溝状にしたり脆弱にする構成のほか、印刷されたり刻印されたりした単なるラインとして、折り曲げや折り畳みの目安程度であってもよい。また折り曲げ線や折り畳み補助線を省略して、落下物受け部や表示部の表面を内側となるように巻き込むようにして撤去してもよい。
【００４８】
各実施例や変形例において、表示部２は、何らかの図柄や文字、記号等が付されていてもよいし、無地であってもよい。無地であっても少なくとも立設させる建物壁等の背景と区別のつく色彩であれば、上方に巣があること、または、落下物受け部１が存在することを認知させることができる。要するに、その認知できる程度に目立つものであれば、その表示形態は問わない。
【符号の説明】
【００４９】
１：落下物受け具
２：表示部
３：折り曲げ線
５：両面テープ
Ｗ：建物壁
Ｇ：第１の面
【図１】
2019135987.tif 000003
【図２】
2019135987.tif 000004
【図３】
2019135987.tif 000005
【図４】
2019135987.tif 000006
【図５】
2019135987.tif 000007
【図６】
2019135987.tif 000008
【図７】
2019135987.tif 000009
【図８】
2019135987.tif 000010
【図９】
2019135987.tif 000011
【図１０】
2019135987.tif 000012
【図１１】
2019135987.tif 000013
【図１２】
2019135987.tif 000014
【図１３】
2019135987.tif 000015
【図１４】
2019135987.tif 000016
【図１５】
2019135987.tif 000017
【図１６】
2019135987.tif 000018